(57)【要約】【課題】ロック機能を有するＬＡＮコネクタにおいて、モジュラープラグをモジュラージャックから容易に抜き取ることを可能にしたＬＡＮモジュラープラグ挿抜装置を提供すること。【解決手段】モジュラージャック２００に対してモジュラープラグ１００を自動的に挿抜するＬＡＮモジュラープラグ挿抜装置１であって、モジュラープラグ１００を支持する支持部１０と、モジュラープラグ１００をモジュラージャック２００に対して接近及び離間させるように、支持部１０を移動させる移動機構部５０と、を備え、支持部１０は、モジュラープラグ１００をモジュラージャック２００から引き抜く際に、モジュラープラグ１００の本体に設けられているモジュラージャック２００とモジュラープラグ１００との係合を解除させるレバー部１２０ｄを下げるとともに、モジュラープラグ１００本体におけるＬＡＮケーブル側を下方に傾けるロック解除部３０を有する。【選択図】図４
2017084715.tif 000002
【特許請求の範囲】
【請求項１】
ＬＡＮコネクタにおけるモジュラージャックに対して、ＬＡＮケーブルの先端部に設けられたモジュラープラグを自動的に挿抜するＬＡＮモジュラープラグ挿抜装置であって、
前記モジュラープラグを支持する支持部と、
前記モジュラープラグを前記モジュラージャックに対して接近及び離間させるように、前記支持部を移動させる移動機構部と、を備え、
前記支持部は、前記モジュラージャックに差し込まれている前記モジュラープラグを前記モジュラージャックから引き抜く際に、前記モジュラープラグの本体に設けられている前記モジュラージャックと前記モジュラープラグとの係合を解除させるレバー部を下げるとともに、前記モジュラープラグの本体における前記ＬＡＮケーブル側を下方に傾けるロック解除部を有することを特徴とするＬＡＮモジュラープラグ挿抜装置。
【請求項２】
前記ロック解除部は、
前記レバー部の上方を通り、前記モジュラープラグを巻くように配置される帯状部材と、
前記支持部における前記モジュラープラグに対して反対側に配置され、前記帯状部材を引っ張ることによって前記レバー部を下げるとともに前記モジュラープラグの本体を下方に傾ける駆動部と、を有することを特徴とする請求項１記載のＬＡＮモジュラープラグ挿抜装置。
【請求項３】
前記支持部は、前記モジュラープラグにおける前記モジュラージャックに差し込まれていない部分を収納する弾性変形可能な収納ケースを更に有することを特徴とする請求項１又は２記載のＬＡＮモジュラープラグ挿抜装置。
【発明の詳細な説明】
【技術分野】
【０００１】
本発明は、ＬＡＮコネクタにおけるモジュラージャックに差し込まれているモジュラープラグを、モジュラージャックから抜き取るためのＬＡＮモジュラープラグ挿抜装置に関する。
【背景技術】
【０００２】
近年、ケーブルや無線などを使って、同じ建物の中にあるコンピュータや通信機器、プリンタなどを接続してローカルエリアネットワーク（Local Area Network：略してＬＡＮ）を構築し、これらの機器の間でデータをやり取りすることが行われている。
【０００３】
このため、コンピュータ、通信機器、プリンタのほとんどにＬＡＮケーブルを接続するためのＬＡＮポートが設けられている。ＬＡＮポートには、ＬＡＮケーブルの端部に設けられるモジュラープラグが差し込まれるモジュラージャックが設けられている。
【０００４】
図６はモジュラープラグ１００の構成を示す説明図、図７はモジュラージャック２００の構成を示す説明図、図８はモジュラープラグ１００をモジュラージャック２００に差し込む際の説明図、および図９はモジュラープラグ１００をモジュラージャック２００から引き抜く際の説明図である。
また、図８（ａ）は差し込み前のモジュラープラグ１００およびモジュラージャック２００の断面図、図８（ｂ）は差し込み途中におけるモジュラープラグ１００およびモジュラージャック２００の断面図、図８（ｃ）は差し込みによりモジュラープラグ１００がモジュラージャック２００にロックされた状態を説明する断面図である。
更に、図９（ａ）はモジュラージャック２００にモジュラープラグ１００が差し込まれている状態を説明する断面図、図９（ｂ）は使用者がモジュラープラグ１００を引き抜く際に、モジュラープラグ１００をつまんで傾けた状態を説明する断面図、図９（ｃ）はモジュラープラグ１００をモジュラージャック２００から引き抜いた後の状態を示す断面図である。
【０００５】
図６に示すように、モジュラープラグ１００は、ブーツ１１０と、モジュラープラグ本体に相当するハウジング１２０と、接続端子１３０とを有する。
【０００６】
ブーツ１１０は、ケーブル３００の先端を覆うように装着されるとともに、ハウジング１２０に固定される可撓性を有する部材である。
【０００７】
ハウジング１２０は、透明な硬質プラスチックからなり、後述するモジュラージャック２００に差し込まれる部材である。ハウジング１２０は、全体が略直方体の形状に形成されており、以下の説明の便宜上、ハウジング１２０におけるモジュラージャック２００（図７参照）に対向する面を前面、前面の反対面を後面、モジュラージャック２００の接続端子２２０（図７参照）に対向する面を下面、下面の反対面を上面、上面の長辺と下面の長辺との間の面を側面と称することにする。
また、モジュラープラグ１００のモジュラージャック２００（図７参照）への差込方向を前方、抜き取り方向を後方と称する場合がある。
また、両側面の幅方向を横幅方向、上面と下面との幅方向を縦幅方向と称する場合がある。
【０００８】
接続端子１３０は、ハウジング１２０の内部に収納される導電性の金属部材である。接続端子１３０は、ハウジング１２０内に複数収納され、ケーブル３００の芯線にそれぞれ接続される。また、接続端子１３０は、ハウジング１２０の両側面の間に等間隔に配置されており、接続端子１３０の一部がハウジング１２０の前面及び下面の一部から外部に露出している。
そして、接続端子１３０は、ハウジング１２０が後述するモジュラージャック２００（図７参照）に差し込まれた場合に、モジュラージャック２００の接続端子２２０（図７参照）と電気的に接続される。
【０００９】
ハウジング１２０の前面と上面との境界部分における横幅方向の中央部に、略直方体形状の突部１２０ｂが形成されている。すなわち、突部１２０ｂは、ハウジング１２０の正面及び上面の一部から突出している。
【００１０】
また、突部１２０ｂの上部には、後方に延出する係止突起部１２０ｃが形成されている。係止突起部１２０ｃは、横幅が突部１２０ｂと同一であり、突部１２０ｂとの付け根部分が薄肉に形成されており、後側が厚肉に形成されている。このため、係止突起部１２０ｃは、薄肉部分で板ばね性を有するようになり、突部１２０ｂに対して上下方向に揺動可能である。
また、後端側の厚肉部分は、後端側に向かって徐々に肉厚となる、側面視斜面状に形成されている。
【００１１】
更に、係止突起部１２０ｃには、後端部の中央から後方に延出するレバー部１２０ｄが形成されている。
ここで、レバー部１２０ｄは、横幅が係止突起部１２０ｃより細いため、係止突起部１２０ｃの後端部の両側には側面視斜面状の角部１２０ａ、１２０ａが形成されている。そして、レバー部１２０ｄを押下することにより、係止突起部１２０ｃが回動して角部１２０ａ、１２０ａが下げられる。
【００１２】
図７に示すようにモジュラージャック２００は、ハウジング２１０と、接続端子２２０と、によって構成されている。
【００１３】
ハウジング２１０は、モジュラープラグ１００を差し込む差込口２１２と、差込口２１２から差し込まれたモジュラープラグ１００を収納する収納部２１４と、を備えている。
差込口２１２は、モジュラープラグ１００のハウジング１２０の横幅と略同じ横幅の第１開口２１２ａと、突部１２０ｂ及び係止突起部１２０ｃの横幅と略同じ横幅の第２開口２１２ｂと、レバー部１２０ｄの横幅と略同じ横幅の第３開口２１２ｃと、によって構成されている。第２開口２１２ｂは、第１開口２１２ａの上縁中央に形成され、第３開口２１２ｃは、第２開口２１２ｂの上縁中央に形成されている。なお、第１開口２１２ａの縦幅は、モジュラープラグ１００の縦幅よりも若干長く設定されている。
【００１４】
図８（ａ）に示すように、収納部２１４の内部の上側の壁面には、モジュラープラグ１００の差込方向に沿って延び、突部１２０ｂが通過する溝部２１６が形成されている。この溝部２１６は第２開口２１２ｂから延びており、溝部２１６の横幅は第２開口２１２ｂの横幅と同一である。
また、溝部２１６の深さは、第２開口２１２ｂから係止突起部１２０ｃの長さだけ奥側の部位までは第２開口２１２ｂの縦幅と同じ深さである。その部位から奥は第３開口２１２ｃの縦幅まで深くなるように形成されている。このため、第２開口２１２ｂの奥には段差２１８が形成されている。
【００１５】
収納部２１４の内部の下面には、導電性の針金部材からなる複数の接続端子２２０が並列配置されている。これら複数の接続端子２２０は、モジュラープラグ１００の差込方向に向かって上り傾斜している。
そして、モジュラープラグ１００が収納部２１４に収納された際に、モジュラープラグ１００の接続端子１３０が接続端子２２０に電気的に接続される。また、収納部２１４の内部の奥面には、モジュラープラグ１００の突部１２０ｂが嵌合する凹部２１９が形成されている。
【００１６】
図８（ｂ）に示すように、モジュラープラグ１００がモジュラージャック２００に差し込まれると、突部１２０ｂが第２開口２１２ｂを通過し、次に係止突起部１２０ｃが第２開口２１２ｂを通過する。この時、係止突起部１２０ｃの斜面が第２開口２１２ｂの上縁に当接することにより、係止突起部１２０ｃが下方に回動し、これに連動してレバー部１２０ｄが下方に回動する。
そして、モジュラープラグ１００の接続端子１３０がモジュラージャック２００の接続端子２２０に電気的に接続され、突部１２０ｂが凹部２１９に入り込むまでモジュラープラグ１００がモジュラージャック２００に差し込まれる。
【００１７】
図８（ｃ）に示すように、角部１２０ａが段差２１８を越えた時点で、係止突起部１２０ｃがばね性によって上方に回動し、レバー部１２０ｄが第３開口２１２ｃに入り込むとともに、角部１２０ａ、１２０ａと段差２１８とが係合する。これにより、モジュラープラグ１００をモジュラージャック２００から引き抜こうとしても角部１２０ａ、１２０ａが段差２１８に当接するため、モジュラープラグ１００がモジュラージャック２００から抜けないようにロックされる。
【００１８】
図９（ａ）に示すように、モジュラープラグ１００はモジュラージャック２００から抜けないようにロックされている。
【００１９】
使用者は、モジュラープラグ１００をモジュラージャック２００から引き抜くために、図９（ｂ）に示すように、親指と人差し指を使用して、モジュラープラグ１００をつまむ。これによって、レバー部１２０ｄは親指によって押下られる。加えて、モジュラープラグ１００の下面にあてがわれた使用者の人差し指が支点となって、モジュラープラグ１００はモジュラージャック２００内において傾きを得る。
このようにして、角部１２０ａが移動して、段差２１８の壁面に対向しない状態となる。言い換えればロックが解除された状態となる。
【００２０】
以上のようにロックが解除され、かつモジュラープラグ１００を傾けたことにより、モジュラープラグ１００は引き抜くだけで、容易にモジュラープラグ１００をモジュラージャック２００から抜き取ることができる。
その後、図９（ｃ）に示すようにモジュラープラグ１００は差し込み前の状態へと戻る。
【００２１】
また、従来におけるこの種の技術としては、特許文献１に記載された技術がある。この特許文献１によれば、光ファイバーなどの通信線同士を接続するための通信線用のコネクタを、通信機器のポートに対して抜き差しする作業を容易に可能にするコネクタ挿抜具が提案されている。
【先行技術文献】
【特許文献】
【００２２】
【特許文献１】特開２０１１−１４１３４２号公報
【発明の概要】
【発明が解決しようとする課題】
【００２３】
ところで、モジュラープラグ１００をモジュラージャック２００から引き抜く際に、レバー部１２０ｄを押下しただけではモジュラープラグ１００とモジュラージャック２００とのロック状態が解除されない場合がある。
この原因として、製造誤差が考えられる。このような場合、使用者は、レバー部１２０ｄを押下した状態を維持しながらモジュラープラグ１００を上下左右に動かたり、レバー部１２０ｄを強く押し込んだりして、モジュラープラグ１００をモジュラージャック２００から引き抜いている。
【００２４】
しかし、この操作を機械的に実現することは困難であり、モジュラープラグをモジュラージャックから引き抜く作業を自動化する上での障害となっている。
ここで、モジュラープラグ１００から係止突起部１２０ｃ及びレバー部１２０ｄを除去することが考えられるが、この場合、モジュラープラグがモジュラージャックから安易に抜けてしまうおそれがある。
【００２５】
本発明は、このような問題点を解決し、ロック機能を有するＬＡＮコネクタにおいて、モジュラープラグをモジュラージャックから自動的に容易に抜き取ることを可能にしたＬＡＮモジュラープラグ挿抜装置を提供することを目的とする。
【課題を解決するための手段】
【００２６】
前記目的を達成するため、本発明は、次に記載する構成を備えている。
【００２７】
（１）  ＬＡＮコネクタにおけるモジュラージャックに対して、ＬＡＮケーブルの先端部に設けられたモジュラープラグを自動的に挿抜するＬＡＮモジュラープラグ挿抜装置であって、前記モジュラープラグを支持する支持部と、前記モジュラープラグを前記モジュラージャックに対して接近及び離間させるように、前記支持部を移動させる移動機構部と、を備え、前記支持部は、前記モジュラージャックに差し込まれている前記モジュラープラグを前記モジュラージャックから引き抜く際に、前記モジュラープラグの本体に設けられている前記モジュラージャックと前記モジュラープラグとの係合を解除させるレバー部を下げるとともに、前記モジュラープラグの本体における前記ＬＡＮケーブル側を下方に傾けるロック解除部を有することを特徴とするＬＡＮモジュラープラグ挿抜装置。
【００２８】
（１）によれば、モジュラープラグをモジュラージャックから自動的に抜き取る際に、モジュラープラグのレバーを押下しながらモジュラープラグの本体を傾けることにより、モジュラージャックとモジュラープラグとの係合を確実に解除させることが可能になる。これにより、モジュラージャックからモジュラープラグを円滑に引き抜くことが可能になる。
【００２９】
（２）  （１）において、前記ロック解除部は、前記レバー部の上方を通り、前記モジュラープラグを巻くように配置される帯状部材と、前記支持部における前記モジュラープラグに対して反対側に配置され、前記帯状部材を引っ張ることによって前記レバー部を下げるとともに前記モジュラープラグの本体を下方に傾ける駆動部と、を有することを特徴とするＬＡＮモジュラープラグ挿抜装置。
【００３０】
（２）によれば、駆動部が帯状部材を引っ張ることにより、モジュラープラグのレバーを押下しながらモジュラープラグの本体を傾けることが可能になる。
【００３１】
（３）  （１）又は（２）において、前記支持部は、前記モジュラープラグにおける前記モジュラージャックに差し込まれていない部分を収納する弾性変形可能な収納ケースを更に有することを特徴とするＬＡＮモジュラープラグ挿抜装置。
【００３２】
（３）によれば、モジュラープラグの本体を下方に傾けた際に収納ケースが弾性変形し、モジュラープラグをモジュラージャック抜き取った後、収納ケースが元の形に戻ることにより、モジュラープラグが自動的に元の姿勢に戻るようになる。これにより、再び、モジュラープラグをモジュラージャックに差し込むことが容易に可能になる。
【発明の効果】
【００３３】
本発明によれば、ＬＡＮコネクタにおけるモジュラージャックに差し込まれているモジュラープラグを、モジュラージャックから機械的に容易に抜き取ることが可能になり、モジュラープラグの挿抜の自動化が可能になる。
【図面の簡単な説明】
【００３４】
【図１】本発明の一実施形態おけるＬＡＮモジュラープラグ挿抜装置１の要部構成を示す説明図である。
【図２】収納ケース２０の平面図である。
【図３】本発明の第一実施形態におけるＬＡＮモジュラープラグ挿抜装置１を用いてモジュラープラグ１００を差し込む際のモジュラープラグ１００の動きを示す図である。
【図４】本発明の第一実施形態におけるＬＡＮモジュラープラグ挿抜装置１を用いてモジュラープラグ１００を抜き取る際のモジュラープラグ１００の動きを示す図である。
【図５】本発明の第二実施形態におけるＬＡＮモジュラープラグ挿抜装置１を用いてモジュラープラグ１００を抜き取る際のモジュラープラグ１００の動きを示す図である。
【図６】モジュラープラグ１００の構成を示す説明図である。
【図７】モジュラージャック２００の構成を示す説明図である。
【図８】モジュラープラグ１００を差し込む際のモジュラープラグ１００の動きを示す図である。
【図９】モジュラープラグ１００を抜き取る際のモジュラープラグ１００の動きを示す図である。
【発明を実施するための形態】
【００３５】
以下、本発明の第一実施形態について、図面を参照しながら詳細に説明する。
図１は、本発明の第一実施形態におけるＬＡＮモジュラープラグ挿抜装置１の要部構成を示す説明図であり、図２は、収納ケース２０の平面図である。
そして、図１（ａ）はＬＡＮモジュラープラグ挿抜装置１の上方からの平面図であり、図１（ｂ）は側面方向からの平面図である。
【００３６】
図１（ａ）、（ｂ）に示すＬＡＮモジュラープラグ挿抜装置１は、モジュラージャック２００（図７参照）に対してモジュラープラグ１００（図６参照）を自動的に抜き差しする装置であり、モジュラープラグ１００を支持する支持部１０と、支持部１０をモジュラージャック２００（図６参照）に対して接近、離間させる方向に移動させる移動機構部５０と、を備えている。
なお、本発明のモジュラージャック本体の形態は、図６に図示したような一つの本体に一つの差し込み口を有するモジュラージャックに限られるものではなく、複数の差し込み口を有するモノや、上下が反転しているモノなど、市販されているものであればいずれにも適用することができる。
【００３７】
支持部１０は、ベース板１２と、収納ケース２０と、ロック解除部３０と、を備えている。
ベース板１２は、表面に収納ケース２０が設置される矩形の平板状部材である。
【００３８】
図２に示す収納ケース２０は、略直方体形であり、矩形の底面部２１と、底面部２１における一対の長辺からそれぞれ立設する側壁部２２、２２と、片方の短辺から立設する後壁部２３と、からなる。
収納ケース２０は、底面部２１、側壁部２２及び後壁部２３によって囲まれ、後壁部２３との対向部位が開放されている凹部２４を有している。この凹部２４は、モジュラープラグ１００のブーツ１１０（図１参照）に適合するように形成されている。また、後壁部２３の中央部には、下方に延びる切欠部２５が形成されている。収納ケース２０は、例えばゴム部材のような弾性変形可能な部材によって構成される。
【００３９】
そして、図１（ａ）、（ｂ）に示すように、凹部２４にモジュラープラグ１００のブーツ１１０の全体及びハウジング１２０の一部が収納され、切欠部２５にケーブル３００が収納される。
言い換えれば、図８（ｃ）において、モジュラープラグ１００におけるモジュラージャック２００に差し込まれていない部分が凹部２４に収納され、モジュラージャック２００に差し込まれている部分が収納ケース２０から突出する。
【００４０】
また、底面部２１の厚さは、モジュラープラグ１００のハウジング１２０の縦幅と底面部２１の厚さとの和が、モジュラージャック２００の第１開口２１２ａの縦幅よりも長くなるように設定されている。このため、本実施形態のＬＡＮモジュラープラグ挿抜装置１を用いてモジュラープラグ１００をモジュラージャック２００（図７参照）に差し込んだ場合に、ベース板１２の先端が差込口２１２（図７参照）の下方縁部に対向する。
【００４１】
なお、この収納ケース２０の底面部２１には、比較的弾性変形し易い材質のゴムが適用されている。
このため、駆動部４０が帯状部材３２の両端部を下方に引っ張った際に、ブーツ１１０の底部が底面部２１に若干沈み込むようになる。
【００４２】
図１（ｂ）に示すロック解除部３０は、帯状部材３２と、駆動部４０と、を備えている。
帯状部材３２は、収納ケース２０を巻くように配置される可撓性を有する部材である。帯状部材３２の両端部はベース板１２の裏面に位置付けられており、収納ケース２０にモジュラープラグ１００が装着された場合に、帯状部材３２は収納ケース２０の側壁部２２及びレバー部１２０ｄの後部の上方を通る。
つまり、帯状部材３２は、モジュラープラグ１００のハウジング１２０における後部側を巻くように配置される。
【００４３】
図１（ｂ）に示す駆動部４０は、ベース板１２におけるモジュラープラグ１００の反対側、すなわちベース板１２の裏面に設置され、帯状部材３２を下方に引っ張ることにより、レバー部１２０ｄを動作させる装置である。駆動部４０が、帯状部材３２の両端部を下方に引っ張ることにより、帯状部材３２に連動してレバー部１２０ｄが下方に移動する。
駆動部４０が帯状部材３２の引っ張りを解除することでレバー部１２０ｄが元の状態に戻る。駆動部４０としては、例えば、小型の電磁ソレノイドが適用可能である。
本実施形態によれば、駆動部４０に通電された場合に、帯状部材３２が下方に引っ張られ、駆動部４０に通電されない状態では、帯状部材３２は緩んだ状態にある。
【００４４】
図１（ｂ）に示す移動機構部５０は、把持部５２と、駆動シャフト５４と、を備えている。
把持部５２は、ベース板１２を把持及び把持を解除する機構を有している。駆動シャフト５４は、把持部５２に連結され、ベース板１２がモジュラージャック２００（図７参照）に対して接近、離間するように直線方向に往復移動する。駆動シャフト５４にはラックが形成されている。
また、移動機構部５０は、図示しないがこのラックに歯合するピニオンと、このピニオンを回転させる正逆回転可能なモータと、移動機構部５０全体を制御する制御部と、を更に備えており、この制御部が、モータの回転を制御することにより、支持部１０の移動量及び移動方向が制御される。
【００４５】
また、図示しないが駆動シャフト５４には、駆動部４０に電源を供給するためのケーブル線が取り付けられており、把持部５２にはこのケーブル線の先端に接続された端子部が取り付けられている。
一方、ベース板１２にも駆動部４０に電源を供給するための端子部が設けられており、把持部５２がベース板１２を把持した際に、把持部５２の端子部と、ベース板１２の端子部とが電気的に接続する。また、移動機構部５０は、駆動部４０への電源供給をオンオフするスイッチを有している。このスイッチのオンオフ切替は、移動機構部５０の図示しない制御部によって行われる。
【００４６】
次に、本実施形態のＬＡＮモジュラープラグ挿抜装置１の動作について図３および図４を用いて説明する。
図３は本発明の第一実施形態におけるＬＡＮモジュラープラグ挿抜装置１を用いてモジュラープラグ１００を差し込む際のモジュラープラグ１００の動きを示す図であり、図４は  本発明の第一実施形態におけるＬＡＮモジュラープラグ挿抜装置１を用いてモジュラープラグ１００を抜き取る際のモジュラープラグ１００の動きを示す図である。
【００４７】
図３（ａ）はモジュラージャック２００に向けてモジュラープラグ１００を接近させる様子を示す断面図、図３（ｂ）はモジュラープラグ１００を差込口２１２へ挿入している経過を示す断面図、図３（ｃ）はモジュラージャック２００差し込みが完了された状態を示す断面図である。
図４（ａ）は抜き取り動作開始後、モジュラージャック２００内においてモジュラープラグ１００が傾きを有している様子を示す断面図であり、図４（ｂ）は抜き取り動作完了によりモジュラージャック２００内からモジュラープラグ１００が引き抜かれた状態を示す断面図である。
【００４８】
まず、モジュラープラグ１００のモジュラージャック２００への差し込みについて説明する。
図３に示すモジュラープラグ１００のモジュラージャック２００への差し込みは、移動機構部５０が、図３（ａ）に示すように、モジュラープラグ１００をモジュラージャック２００の差込口２１２に接近させる。
そして、図３（ｂ）に示すように、そのままモジュラージャック２００を差込口２１２に挿入することにより、図３（ｃ）に示すように、レバー部１２０ｄが上方に回動して、モジュラープラグ１００がモジュラージャック２００から抜けないようにロックされる。なお、モジュラープラグ１００を差し込む場合には、駆動部４０を駆動する必要はない。
【００４９】
ここで、図３（ｃ）に示すように、モジュラープラグ１００がモジュラージャック２００に差し込まれている状態において、モジュラープラグ１００の突部１２０ｂがモジュラージャック２００の奥に形成されている凹部２１９に係合しているとともに、モジュラープラグ１００がモジュラージャック２００の接続端子２２０によって上方に押し上げられている。このため、ハウジング１２０の下面と、収納部２１４の底面との間に若干の隙間があいた状態でモジュラープラグ１００が収納部２１４内に維持される。
【００５０】
次に、モジュラープラグ１００のモジュラージャック２００からの抜き取りについて説明する。
図４に示すモジュラープラグ１００をモジュラージャック２００から抜き取る際には、まず、移動機構部５０が、駆動部４０に電源を供給することによって駆動部４０が動作し、帯状部材３２がレバー部１２０ｄを下方に移動する。
この際、帯状部材３２の下方への引っ張りがブーツ１１０に作用するため、ブーツ１１０が下方に移動する。このブーツ１１０の移動によって、収納ケース２０が若干弾性変形する。
【００５１】
この時、上述したように、モジュラープラグ１００の突部１２０ｂがモジュラージャック２００の凹部２１９に係合しているため、この係合部位を中心にモジュラープラグ１００は下方に回動する。
その結果、モジュラープラグ１００は、図４（ａ）に示すように、ＬＡＮケーブル３００側が下方に僅かに傾いた状態になる。この傾きの分だけ角部１２０ａ、１２０ａの上端が僅かに下がる。
これにより、角部１２０ａ、１２０ａの上端と、段差２１８の下端との隙間が大きくなり、モジュラープラグ１００がモジュラージャック２００から抜き取りやすい状態となる。
【００５２】
そして、移動機構部５０が、図４（ｂ）に示すように、モジュラープラグ１００をモジュラージャック２００から離間させることにより、モジュラープラグ１００がモジュラージャック２００から抜き取られる。
【００５３】
なお、モジュラープラグ１００の抜き取り後、駆動部４０への電源供給を遮断することにより、帯状部材３２が緩み、底面部２１が弾性変形状態から元の状態に戻ることによってモジュラープラグ１００が押し上げられる。これにより、モジュラープラグ１００は差込前の図３（ａ）に示す状態に戻る。
【００５４】
再度、モジュラープラグ１００をモジュラージャック２００に差し込む際には、再度モジュラープラグ１００のハウジング１２０を、モジュラージャック２００の差込口２１２に対向させた後、移動機構部５０が支持部１０を、差込口２１２側に移動させることにより、再度モジュラープラグ１００をモジュラージャック２００に差し込むことができる。
なお、前述したように、モジュラージャック２００から抜き出したモジュラープラグ１００は差込前の図３（ａ）に示す状態に戻る。
このため、移動機構部５０に支持部１０を上下左右に移動させる機能を設け、複数のモジュラージャック２００における所望のモジュラージャック２００に対して、モジュラープラグ１００を抜き差しできるように構成した場合、モジュラープラグ１００の姿勢を調整するための機構を設ける必要がなくなる。
【００５５】
以上説明したように本発明の第一実施形態によれば、モジュラープラグ１００をモジュラージャック２００から自動的に抜き取る際に、モジュラープラグ１００のレバー部１２０ｄを押下しながらモジュラープラグ１００を傾けることにより、モジュラージャック２００とモジュラープラグ１００との係合を確実に解除させることが可能になり、モジュラージャック２００からモジュラープラグ１００を円滑に引き抜くことが可能になる。
【００５６】
また本発明の第一実施形態によれば、モジュラープラグ１００をモジュラージャック２００から自動的に抜き取る際に、モジュラープラグ１００が帯状部材３２によって収納ケース２０に巻き付けられた状態となるため、抜き取る際に、モジュラープラグ１００が収納ケース２０から外れることが防止できる。
【００５７】
また本発明の第一実施形態によれば、収納ケース２０が弾性変形可能であるため、モジュラープラグ１００の本体を下方に傾けた際に収納ケース２０が弾性変形し、モジュラープラグ１００をモジュラージャック２００抜き取り、駆動部４０による帯状部材３２の引っ張りを解除して後、収納ケース２０が元の形に戻る。これにより、モジュラープラグが１００自動的に元に姿勢に戻り、再度、モジュラープラグ１００をモジュラージャック２００に差し込むことが容易に可能になる。
【００５８】
続いて、本発明の第二実施形態について図面を参照しながら説明する。
図５は本発明の第二実施形態におけるＬＡＮモジュラープラグ挿抜装置１を使用して、モジュラープラグ１００をモジュラージャック２００から抜き取る際の動作を示す図であり、図５（ａ）はモジュラープラグ１００がモジュラージャック２００に差し込まれている状態を示す断面図、図５（ｂ）は抜き取り動作開始後、ＬＡＮモジュラープラグ挿抜装置１によりモジュラージャック２００内においてモジュラープラグ１００が傾く様子を示す断面図であり、図５（ｃ）は第二実施形態で説明する要部について拡大して示す説明図であり、図５（ｄ）は第二実施形態の爪状部材によるモジュラープラグ１００への力のかかり方の説明図である。
【００５９】
図５（ａ）に示すように、第二実施形態は第一実施形態で使用した帯状部材３２に、爪状部材３２１および爪状部材３２２を内蔵させた点で、第一実施形態とは相違する。それ以外の部材については第一実施形態で使用したものを適宣使用することが可能である。
爪状部材３２１と、爪状部材３２２とは、例えば紙面横方向にずらした状態で帯状部材３２に内蔵させている（図５（ｃ）参照）。
【００６０】
ここで、駆動部４０を駆動させることにより、帯状部材３２の下端部は引っ張られ、爪状部材３２１とレバー部１２０ｄとが当接するようになる。その後も帯状部材３２を引っ張り続けることにより、爪状部材３２１からレバー部１２０ｄへ向けた押下の力が加わり、レバー部１２０ｄは傾いていく。レバー部１２０ｄは所定値以上傾くことができないため、次第にモジュラープラグ１００自体が傾いていく。
その際に、下方に設けられた爪状部材３２２と、ブーツの下面１１０とが当接することで、この爪状部材３２２が支点となり、モジュラープラグ１００の傾きが増していく（図５（ｂ）参照）。
これにより、上記第一実施形態と同様に、モジュラージャック１００がモジュラープラグ２００から抜き取りやすい状態となる。
【００６１】
一連の抜き取り準備が終了した後、移動機構部５０が、モジュラープラグ１００をモジュラージャック２００から離間させることにより、モジュラープラグ１００をモジュラージャック２００から自動で抜き取ることができる。
以上、本実施形態を用いた抜き取りについて説明したが、本実施形態のＬＡＮモジュラープラグ挿抜装置１は、上記第一実施形態と同様に、モジュラージャック２００に対するモジュラープラグ１００の差し込みも問題なく行い得る。
【００６２】
更に、第二実施形態においては、爪状部材３２１および爪状部材３２２の間隔ｄ（図５（ｂ）参照）を適宣調整することによって、モジュラープラグ１００の傾き度合いを調整することが可能である（図５（ｄ）参照）。たとえば、この間隔の調整により、図９（ｂ）し示した、使用者によってモジュラープラグ１００がつままれているような状態の再現も可能である。
そのため、爪状部材を使用する本実施形態は第一実施形態での帯状部材３２に比べて、モジュラープラグ１００の傾きのコントロールを行うことができる。
【００６３】
なお、本実施形態の爪状部材については、一定の圧を加えることができるものであれば適宣利用可能であり、その形状が爪状のものに限られるものではなく、点状・円状・楕円状・四角形状など、を有するモノを使用することができる。
【００６４】
本発明の第二実施形態によれば、モジュラープラグ１００のモジュラージャック２００への抜差しを自動で行うことができ、かつ使用者が行う抜差しを再現することが可能となる。
【符号の説明】
【００６５】
１  モジュラープラグ挿抜装置
１０  支持部
１２  ベース板
２０  収納ケース
２１  底面部
２２  側壁部
２３  後壁部
２４  凹部
２５  切欠部
３０  ロック解除部
３２  帯状部材
３２１、３２２  爪状部材
４０  駆動部
５０  移動機構部
５２  把持部
５４  駆動シャフト
１００  モジュラープラグ
１１０  ブーツ
１２０  ハウジング
１２０ａ  角部
１２０ｂ  突部
１２０ｃ  係止突起部
１２０ｄ  レバー部
１３０  接続端子
２００  モジュラージャック
２１０  ハウジング
２１２  差込口
２１２ａ  第１開口
２１２ｂ  第２開口
２１２ｃ  第３開口
２１４  収納部
２１６  溝部
２１８  段差
２１９  凹部
２２０  接続端子
３００  ケーブル
【図１】
2017084715.tif 000003
【図２】
2017084715.tif 000004
【図３】
2017084715.tif 000005
【図４】
2017084715.tif 000006
【図５】
2017084715.tif 000007
【図６】
2017084715.tif 000008
【図７】
2017084715.tif 000009
【図８】
2017084715.tif 000010
【図９】
2017084715.tif 000011